(57)【要約】【課題】簡単に確実に値下げラベルを印字させることができるようにしたハンディターミナルを提供する。【解決手段】商品の価格を含む商品情報を取得する取得手段と、値引きに関する情報を設定する設定手段と、前記取得手段で取得した商品の価格を前記設定手段で設定された値引きに関する情報によって値引き後の価格を演算する演算手段と、前記設定手段で設定された商品の価格と前記演算手段で演算された値引き後価格を表示器の同じ画面内に表示する表示手段とを備えたハンディターミナルとした。【選択図】図３
2013088908.tif 000002
【特許請求の範囲】
【請求項１】
商品の価格を含む商品情報を取得する取得手段と、
値引きに関する情報を設定する設定手段と、
前記取得手段で取得した商品の価格を前記設定手段で設定された値引きに関する情報によって値引き後の価格を演算する演算手段と、
前記設定手段で設定された商品の価格と前記演算手段で演算された値引き後価格を表示器の同じ画面内に表示する表示手段と
を備えたハンディターミナル。
【請求項２】
前記取得手段は、商品に付されたシンボルを読み取る読取手段と、前記読取部で読み取ったシンボルに含まれる商品コードに基づいてホストコンピュータに商品情報を問い合わせる通信手段とを有し、
前記演算手段で演算された値引き後価格を含む印字情報をプリンタに送信して値引きラベルを印字させるプリンタ通信手段をさらに備えた
請求項１記載のハンディターミナル。
【請求項３】
情報を入力する入力部、値引き情報を設定する設定部、各種情報を表示する表示器、プリンタと通信を行う通信部を有するハンディターミナルを、
前記入力部により入力された方法に基づいて販売価格を含む商品情報を取得する取得手段、
前記取得部で取得された商品情報に含まれる販売価格から、前記設定部で設定された値引き情報に基づいて値引き後価格を演算する演算手段、
前記演算手段で演算された値引き後価格を、前記取得部で取得した商品情報に含まれる価格とともに前記前記表示器に表示する表示手段、
前記演算手段で演算された値引き後価格を含む印刷情報を前記通信部で送信して前記プリンタに値引きラベルを印字させる印字手段
として機能させるハンディターミナルのプログラム。
【発明の詳細な説明】
【技術分野】
【０００１】
本発明の実施の形態は、ハンディターミナルおよびハンディターミナルのプログラムに関する。
【背景技術】
【０００２】
店頭に並べられた商品の中で、例えば、翌日に販売できない弁当や惣菜などは、その日のうちにすべてを売り切るために、夕方から夜にかけて価格を下げたり割り引いたりする値下げが行なわれて販売される場合がある。このような商品では、弁当などのパックに貼られたラベルの上からまたはラベルの横に値下げを示すラベルを貼り付けて、客に対して商品の価格が安くなったことがわかるようにして、購買意欲を促進している。
【０００３】
値下げを示すラベルには、変更された売価やバーコードが印字され、この値下げラベルを値下げ前のラベルに貼り重ねたり、値下げ前のラベルの横に貼ったりする。値下げラベルを印字するためには、例えばハンディターミナルで値下げ前ラベルに印字されたバーコードを読み取って、バーコードの情報に対応する値下げ前売価を例えばホストコンピュータに問い合わせて取得し、ハンディターミナルに担当者が値引き金額あるいは値引率などの値下げ情報を入力して、ハンディターミナルで計算した値引き額などをラベルプリンタに送信して、ラベルプリンタで値下げラベルを印字する。
【先行技術文献】
【特許文献】
【０００４】
【特許文献１】特開平１０−１８１１１３号公報
【発明の概要】
【発明が解決しようとする課題】
【０００５】
ところで、ハンディターミナルを用いて、値下げ情報をラベルに印字するときに、間違ったラベルを印字してしまう可能性がある。間違って印字されたラベルは再利用ができないので、ラベル自体が無駄になってしまう。また、改めて正しい値下げラベルを印字する必要があり、手間がかかる。
【０００６】
このためには、ハンディターミナルで簡単に確実に値下げラベルを印字させることができるようにすることが望まれる。
【課題を解決するための手段】
【０００７】
この実施の形態においては、商品の価格を含む商品情報を取得する取得手段と、値引きに関する情報を設定する設定手段と、前記取得手段で取得した商品の価格を前記設定手段で設定された値引きに関する情報によって値引き後の価格を演算する演算手段と、前記設定手段で設定された商品の価格と前記演算手段で演算された値引き後価格を表示器の同じ画面内に表示する表示手段とを備えたハンディターミナルとした。
【図面の簡単な説明】
【０００８】
【図１】この実施の形態のハンディターミナルの外観図。
【図２】この実施の形態のハンディターミナルの電気ブロック図。
【図３】ハンディターミナルが実行する処理を示すフローチャート。
【図４】ハンディターミナルの表示例。
【図５】この実施の形態で印字したラベルの実施例を示す図。
【図６】この実施の形態で２枚のラベルに印字した例を示す図。
【発明を実施するための形態】
【０００９】
以下、この実施の形態のハンディターミナルを図１ないし図６を参照して説明する。図１はこの実施の形態のハンディターミナルの外観図、図２はこの実施の形態のハンディターミナルの電気ブロック図、図３はハンディターミナルが実行する処理を示すフローチャート、図４はハンディターミナルの表示例、図５はこの実施の形態で印字したラベルの実施例を示す図、図６はこの実施の形態で２枚のラベルに印字した例を示す図である。
【００１０】
このハンディターミナル１は、スーパーマーケット等の店舗内で用いられ、バッテリで駆動されることから携帯して移動しながら操作可能となっている。ハンディターミナル１の表面２には、表示器３とキーボード４およびＬＥＤ５が設けられている。ハンディターミナル１の側面６には、トリガスイッチ７が設けられている。また、ハンディターミナル１の上側面８には、商品に付されたバーコードを読み取るためのバーコード読取部９が設けられている。表示器３には、キーボード５から入力された情報や、バーコード読取部９で読み取った情報が表示される。トリガスイッチ７はバーコード読取部９でバーコードを読み取るとき押すことでバーコードの読み取りを開始する起動スイッチである。
【００１１】
ハンディターミナル１の内部には、図２に示す制御部が設けられている。ＣＰＵ（Ｃｅｎｔｒａｌ  Ｐｒｏｃｅｓｓｉｎｇ  Ｕｎｉｔ）１１に、バスライン１２を介して、ＲＯＭ（Ｒｅａｄ  Ｏｎｌｙ  Ｍｅｍｏｒｙ）１３、ＲＡＭ（Ｒａｎｄｏｍ  Ａｃｃｅｓｓ  Ｍｅｍｏｒｙ）１４、表示器３、キーボード４、ＬＥＤ５、トリガスイッチ７、バーコード読取部９、および通信部１５が接続されている。
【００１２】
ＲＯＭ１３には、後述するこのハンディターミナル１が実行する処理を行なうプログラムなどを記憶している。ＲＡＭ１４には、各種ワークエリアが設けられている。キーボード４には、０から９までの１０個の置数キーや確定キーなどが設けられている。表示器５は、キーボード４から入力された文字、数字などが表示される。バーコード読取部９は、商品に付されたバーコードを読み取る。トリガスイッチ７は、バーコード読取部９で商品に貼られたラベルのバーコードを読み取るときに操作される。ＬＥＤ９は、例えばバーコードが正常に読み取れたときに緑色に点灯し、読み取りができなかったときには赤く点灯するなどの、各処理の状況を色によって表示する。通信部１５は、無線ＬＡＮ（Ｌｏｃａｌ  Ａｒｅａ  Ｎｅｔｗｏｒｋ）等で外部と通信を行なうことができ、この通信部１５を用いてホストコンピュータ１６に商品情報の照会ができ、かつ、プリンタ１７に印字データを送信して印字を実行させる。
【００１３】
ホストコンピュータ１６は、商品に関する単価、名称などの商品情報を商品コードに対応して記憶している。そして、ハンディターミナル１から商品情報の問合せを受けると、問合せを受けた商品情報をハンディターミナルに返答する。プリンタ１７は、ハンディターミナル１と同様にバッテリで駆動されてハンディターミナル１とともに携帯される。プリンタ１７内には、ラベル用紙を収納して、ハンディターミナル１から受けた情報をラベルに印字する。
【００１４】
ハンディターミナル１は、上述したようにＲＯＭ１３に記憶したプログラムに従って処理を実行する。図３に示す処理は、ＲＯＭ１３に記憶されているプリンタ１７で商品の値下げラベルを印字するためのプログラムであり、このプログラムがハンディターミナル１で動作している状態の説明である。
【００１５】
まず、バーコードを読み取るためにトリガスイッチ７が押されたか否かを判断する（Ａｃｔ１）。トリガスイッチ７が押されていれば、バーコードの読み取りを行い（Ａｃｔ２）、読み取ったデータが正しいか否かで読み取りが成功したかを判断する（Ａｃｔ３）。読み取りに成功すれば商品情報をホストコンピュータ１６に問合せ（Ａｃｔ４）、ホストコンピュータ１６から回答のあった商品情報を表示器３に表示して（Ａｃｔ５）、Ａｃｔ１に戻る。また、バーコードの読み取りに失敗したならば、ＬＥＤ５を赤く点灯してエラー出力を行い（Ａｃｔ６），Ａｃｔ１に戻る。
【００１６】
Ａｃｔ１でトリガスイッチ７が押されていない場合には、値引き情報が入力されたか否かを判断する（Ａｃｔ７）。値引き情報の入力があったならば、商品情報をすでに取得済か否かを判断し（Ａｃｔ８）、商品情報が取得済でなければ、Ａｃｔ１の処理に戻る。商品情報を取得済であれば、値引き額を計算して（Ａｃｔ９）、表示器３に値引き金額などを表示して（Ａｃｔ１０）、Ａｃｔ１の処理に戻る。
【００１７】
Ａｃｔ７で、値引き情報の入力が無ければ、ラベルの印字枚数が変更されたか否かを判断する（Ａｃｔ１１）。ラベルの印字枚数が変更されたのであれば、印字するラベルの枚数を入力された枚数として設定する（Ａｃｔ１２）。なお、後述するように、ラベルの印字枚数は、１または２のいずれかである。
【００１８】
Ａｃｔ１１でラベル枚数の変更入力が無ければ、確定キーが押されたか否かを判断する（Ａｃｔ１３）。確定キーが押されていたならば、値引き額が計算済か否かを判断し（Ａｃｔ１４）、計算済であれば印字に必要な情報をプリンタ１７に送信して（Ａｃｔ１５）、プリンタで値引きラベルを印字する。また、Ａｃｔ１４で値引き額が計算済でないと判断したならば、Ａｃｔ１の処理に戻る。Ａｃｔ１３で確定キーが押されたと判断しなければ、その他の処理を行なって（Ａｃｔ１６）、Ａｃｔ１の処理に戻る。Ａｃｔ１６のその他の処理は、例えばバーコードがうまく読み取れないときに数字キーを用いて商品情報を取得するなどの処理があるが、ここで詳細な説明は省略する。
【００１９】
このハンディターミナル１を用いて値下げラベルを印字するには、まず商品に貼り付けてある変更前価格のラベルのバーコードをバーコード読取部９で読み取る。そして、読み取ったバーコードに対応する商品情報をホストコンピュータ１６に問い合わせて、ホストコンピュータ１６からの回答をＲＡＭ１４のバッファに例えば商品価格を記憶する。また、この商品価格を表示器３に表示する。
【００２０】
次に、値引き金額が入力されると、このハンディターミナル１は、変更前の価格から値引き額を引いて値引き後価格を求めて、その値引き後価格を表示器３に値引き前の価格と並べて表示する。この値引き後価格を表示した状態を図４に示す。この実施の形態では、一番上に白抜き文字で現在の処理が値引きラベルを印字するための処理であることを示す表示を表示器３に行い、その表示の下方に向かい値引き後価格、ＪＡＮ（Ｊａｐａｎ  Ａｒｔｉｃｌｅ  Ｎｕｍｂｅｒ）コード、値引き前価格、ラベル印字枚数を表示したものである。なお、最下行は、ファンクションキー等が押されたときのアクション（機能）が示されている。このように、この値引きラベルを印字するための処理の画面内に、値引き後価格と値引き前価格とが同時に表示されている。
【００２１】
このハンディターミナルで、プリンタ１７で印字するラベルの枚数を１枚あるいは２枚の設定が可能である。キーボードから印字する枚数の「１」か「２」の数字キーを押して、印字枚数であることを宣言するキーを押すと、印字枚数が設定される。この設定された枚数に応じて、ハンディターミナル１から送信する印字フォーマットが１枚用のフォーマットと２枚用のフォーマットのいずれかが選択される。なお、印字枚数はデフォルトでは１枚となっているので、何も設定しなければ１枚のラベルが印字される。ラベル印字枚数の設定について、この例に限らず、ファンクションキーの一つを印字枚数設定キーとしておき、このキーが押されるたびに印字枚数が１枚と２枚とが交互に設定されるようにしても良い。
【００２２】
図４に示される表示を見て操作者は値引き情報が正しいか否かが判断できる。そして、この表示によって確認したならば、操作者は確定キーを押す。確定キーが押されると、ハンディターミナル１はプリンタ１７に値引きラベルに必要な値引き額、値引き後価格などを送信する。
【００２３】
図５は、ラベルの印字枚数を１枚と設定した場合にプリンタ１７で印字されたラベルの印字例である。この図に示すように、上段右側に値引き額、上段左側に販売価格が、また、下段には商品情報を示すバーコードが印字されている。
【００２４】
図６は、ラベルの印字枚数を２枚と設定した場合にプリンタ１７で印字されたラベルの印字例である。図６（ａ）は、図５に示すラベルと印字内容が同じラベルである。図６（ｂ）に示すものは、上段右側には表示価格つまり値引き前の販売価格、上段左側に値引き額、下段には値引き後の販売価格が印字されている。このラベルにバーコードは不要であるので、印字されない。図６（ｂ）に示されるラベルは、図６（ａ）に示されるラベルと同じプリンタで印字され、１枚目のラベルに引き続いて２枚目のラベルがプリンタから印字される。
【００２５】
このように、ハンディターミナル１でバーコードを読み取り、商品情報を取得した後に値下げ情報を入力すると、ハンディターミナル１の表示器３の同じ画面に値引き前価格と値引き後価格との両方が表示されるので、操作者は同時に両方の価格を見ることができ、印字する価格に間違いがあるか否かを容易に確認できるので、価格の間違ったラベルを印字してしまうことがない。また、ＪＡＮコードも同時に表示されるので、間違った商品について値下げラベルを印字しようとしていないか否かも確認できる。また、操作がバーコードを読み取るトリガ操作と、値下げ情報のキー入力などの簡単な操作だけで行なえるため、不慣れな担当者であっても間違いがないラベルを印字することが可能となり、ラベルの無駄を省くとともに、正しいレベルを改めて印字する手間も省ける。
【００２６】
この実施の形態では、値引き前の価格から所定額を値引くことを例に説明したが、これに限ることなく例えば販売価格から所定割合の金額を値引く割引販売を行なうものでも適用できる。
【００２７】
また、例えば肉や惣菜などで単位重量当りの単価と商品の重さに応じて価格が変わる商品では、インストアマーキングあるいはＮＯＮ−ＰＬＵと呼ばれるバーコードをラベルに印字しておき、このラベルを読み取って値下げラベルを印字するものにも適用可能である。バーコードに商品の価格情報が含まれている場合には、ホストコンピュータ１６に金額情報を問い合わせることなくハンディターミナル１だけで値引き額が算出できる。
【００２８】
この実施の形態では、ラベルに印字されているシンボルとしての一段のバーコードを読み取って、このバーコードの情報に基づいて商品情報を取得するようにしたが、シンボルとしては例えば２次元コードや多段のバーコードがラベルに印字されているものであっても良く、また、商品のパッケージに直接バーコードが印刷されているものにも適用できる。
【００２９】
また、バーコード読取部９が設けられてないハンディターミナルであっても、バーコードの下に示されるＪＡＮコードをキーボード４から入力することで、商品情報を取得することができ、この取得した商品情報と設定された値下げ情報によって値下げラベルを印字することが可能である。
【００３０】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１・・ハンディターミナル
３・・表示器
４・・キーボード
９・・バーコード読取部
【図１】
2013088908.tif 000003
【図２】
2013088908.tif 000004
【図３】
2013088908.tif 000005
【図４】
2013088908.tif 000006
【図５】
2013088908.tif 000007
【図６】
2013088908.tif 000008